(57)【要約】【課題】絞り装置において、絞り開口の形状を多角形状とし、フレア及びゴーストが発生しづらく光学性能に優れた構成とする。【解決手段】開口部が形成された地板と、第１方向に往復移動することで前記開口部の遮蔽量を調整する第１主羽根と、前記第１方向に往復移動することで前記第１主羽根とともに前記開口部の遮蔽量を調整する第２主羽根と、前記第１方向とは異なる第２方向に移動することで前記開口部の遮蔽量を調整する第１補助羽根と、を有し、前記第１主羽根、前記第２主羽根、及び前記第１補助羽根によって絞り開口の外縁が決定された絞り装置とする。【選択図】図１
2018205503.tif 000002
【特許請求の範囲】
【請求項１】
開口部が形成された地板と、
第１方向に往復移動することで前記開口部の遮蔽量を調整する第１主羽根と、
前記第１方向に往復移動することで前記第１主羽根とともに前記開口部の遮蔽量を調整する第２主羽根と、
前記第１方向とは異なる第２方向に移動することで前記開口部の遮蔽量を調整する第１補助羽根と、を有し、
前記第１主羽根、前記第２主羽根、及び前記第１補助羽根によって絞り開口の外縁が決定される、
絞り装置。
【請求項２】
前記第１補助羽根は、前記地板上に設けられた固定軸と、前記第１主羽根及び前記第２主羽根のいずれか一方に設けられた移動軸とに連結されている、
請求項１に記載の絞り装置。
【請求項３】
前記第１方向は直線方向であり、
前記第２方向は回転方向である、
請求項１または請求項２に記載の絞り装置。
【請求項４】
前記絞り開口の外縁は、平行となる辺のない１以上の辺を有する多角形状である、
請求項１から請求項３のいずれか１項に記載の絞り装置。
【請求項５】
前記第１方向とは異なる第３方向に移動することで前記開口部の遮蔽量を調整する第２補助羽根をさらに有し、
前記第１主羽根、前記第２主羽根、前記第１補助羽根、及び第２補助羽根によって絞り開口の外縁が決定される、
請求項１に記載の絞り装置。
【請求項６】
前記第１補助羽根は、前記地板上に設けられた固定軸と、前記第１主羽根及び前記第２主羽根のいずれか一方に設けられた移動軸とに連結されており、
前記第２補助羽根は、前記地板上に設けられた固定軸と、前記第１主羽根及び前記第２主羽根のいずれか他方に設けられた移動軸とに連結されている、
請求項５に記載の絞り装置。
【請求項７】
前記第１方向は直線方向であり、
前記第２方向は回転方向であり、
前記第３方向は回転方向である、
請求項５または請求項６に記載の絞り装置。
【請求項８】
請求項１から請求項７のいずれか１項に記載の絞り装置を備える撮像装置。
【発明の詳細な説明】
【技術分野】
【０００１】
本発明の一態様は、絞り装置及び撮像装置等に関する。
【背景技術】
【０００２】
従来から、直線方向に移動する２枚の羽根によって絞り開口を形成することで露光量を制御する露光量制御装置（絞り装置）が知られている。特許文献１には、このような従来の露光量制御装置が開示されている。
【先行技術文献】
【特許文献】
【０００３】
【特許文献１】特開２００４−０９３８７４号公報
【発明の概要】
【発明が解決しようとする課題】
【０００４】
上記従来の露光量制御装置では、２枚の羽根の縁部で形成された菱形などの多角形状の絞り開口によって露光量を調整していた。しかし、従来の多角形状の絞り開口によって露光量を調整する構成では、絞り開口の対向する面によって光の反射が発生し、フレアまたはゴーストなどが発生することがあり、これによって撮像した画像の品質が悪化することがあった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
開口部（１ａ）が形成された地板（１）と、
第１方向に往復移動することで前記開口部の遮蔽量を調整する第１主羽根（２）と、
前記第１方向に往復移動することで前記第１主羽根とともに前記開口部の遮蔽量を調整する第２主羽根（３）と、
前記第１方向とは異なる第２方向に移動することで前記開口部の遮蔽量を調整する第１補助羽根（４）と、を有し、
前記第１主羽根、前記第２主羽根、及び前記第１補助羽根によって絞り開口（１ｂ）の外縁が決定される、
絞り装置である。
【０００７】
上記構成の絞り装置によれば、第１主羽根及び第２主羽根に加えて第１補助羽根を用いて絞り開口を形成しているため、従来形状よりも円形に近い絞り開口を形成しやすい構成とすることができる。この構成によって、フレア及びゴーストなどが発生しづらいなど、光学性能に優れた絞り装置を構成することができる。
【０００８】
上記絞り装置において、好ましくは、
前記第１補助羽根（４）は、前記地板上に設けられた固定軸（１７）と、前記第１主羽根及び前記第２主羽根のいずれか一方に設けられた移動軸（２１）とに連結されている。
【０００９】
上記構成の絞り装置によれば、第１補助羽根が、第１主羽根または第２主羽根の動きに合わせて、第１主羽根または第２主羽根とは異なる方向に移動する構成にすることができる。これによって、比較的簡易な制御によって、第１主羽根、第２主羽根、及び第１補助羽根を駆動可能な構成とすることができる。
【００１０】
上記絞り装置において、好ましくは、
前記第１方向は直線方向であり、
前記第２方向は回転方向である。
【００１１】
上記構成の絞り装置によれば、回転方向に移動する第１補助羽根によって、円形に近い絞り開口をより形成しやすい構成にすることができる。また、第２方向が回転方向となっているため、第２方向を第１方向に直交する直線方向などにする場合と比較して、羽根の格納領域を狭く構成することなどが可能となり、絞り装置の大型化を抑制することなどが可能となる。
【００１２】
上記絞り装置において、好ましくは、
前記絞り開口の外縁は、平行となる辺のない１以上の辺を有する多角形状である。
【００１３】
上記構成の絞り装置によれば、フレア及びゴーストの発生をより抑制しやすい構成とすることができる。
【００１４】
上記絞り装置において、好ましくは、
前記第１方向とは異なる第３方向に移動することで前記開口部の遮蔽量を調整する第２補助羽根（５）をさらに有し、
前記第１主羽根、前記第２主羽根、前記第１補助羽根、及び第２補助羽根によって絞り開口の外縁が決定される。
【００１５】
上記構成の絞り装置によれば、第１主羽根、第２主羽根、及び第１補助羽根に加え、第２補助羽根を含む羽根によって絞り開口を形成しているため、さらに円形に近い絞り開口を形成しやすい構成とすることができる。この構成によって、フレア及びゴーストなどがさらに発生しづらい、光学性能に優れた絞り装置を構成することができる。
【００１６】
上記絞り装置において、好ましくは、
前記第１補助羽根は、前記地板上に設けられた固定軸と、前記第１主羽根及び前記第２主羽根のいずれか一方に設けられた移動軸とに連結されており、
前記第２補助羽根は、前記地板上に設けられた固定軸と、前記第１主羽根及び前記第２主羽根のいずれか他方に設けられた移動軸とに連結されている。
【００１７】
上記構成の絞り装置によれば、第１補助羽根及び第２補助羽根が、それぞれ第１主羽根及び第２主羽根の動きに合わせて、第１主羽根及び第２主羽根とは異なる方向に移動する構成にすることができる。これによって、比較的簡易な制御によって、第１主羽根、第２主羽根、第１補助羽根、及び第２補助羽根を駆動可能な構成とすることができる。
【００１８】
上記絞り装置において、好ましくは、
前記第１方向は直線方向であり、
前記第２方向は回転方向であり、
前記第３方向は回転方向である。
【００１９】
上記構成の絞り装置によれば、回転方向に移動する第１補助羽根及び第２補助羽根によって、円形に近い絞り開口をより形成しやすい構成にすることができる。また、第２方向及び第３方向が回転方向となっているため、第２方向及び第３方向を第１方向に直交する直線方向などにする場合と比較して、羽根の格納領域を狭く構成することなどが可能となり、絞り装置の大型化を抑制することなどが可能となる。
【００２０】
本発明は、上記いずれかの絞り装置を備える、カメラ、ビデオカメラ、ドローン搭載カメラ、または監視カメラなどの撮像装置を含む。
【００２１】
このような撮像装置によれば、フレアまたはゴーストが発生しづらい、光学性能に優れた構成の撮像装置とすることができる。
【図面の簡単な説明】
【００２２】
【図１】図１は、絞り開口が全開状態の絞り装置の平面図である。
【図２】図２は、４枚の羽根によって開口部より小さい絞り開口が形成された状態の絞り装置の平面図である。
【図３】図３は、第１主羽根の平面図である。
【図４】図４は、第１主羽根の斜視図である。
【図５】図５は、第２主羽根の平面図である。
【図６】図６は、第２主羽根の斜視図である。
【図７】図７は、第１補助羽根の平面図である。
【図８】図８は、第１補助羽根の斜視図である。
【発明を実施するための形態】
【００２３】
本発明の絞り装置は、それぞれ移動可能な２枚の主羽根及び２枚の補助羽根を備え、これらの２枚の主羽根と２枚の補助羽根とによって開口量が調整される絞り開口を形成する構成としている点を特徴のひとつとしている。
【００２４】
本発明の絞り装置の具体的な実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００２５】
＜１．実施形態＞
本発明の絞り装置の一の実施形態について、図面を参照しながら説明する。図１及び図２は本実施形態の絞り装置の平面図である。図１は絞り開口が全開状態の絞り装置を示しており、図２は４枚の羽根によって開口部より小さい絞り開口の外縁が決定されている状態の絞り装置を示している。
【００２６】
図１及び図２に示されるように、本実施形態の絞り装置は、地板１、第１主羽根２、第２主羽根３、第１補助羽根４、及び第２補助羽根５を含んで構成される。本実施形態の絞り装置では、地板１上に、第２補助羽根５、第２主羽根３、第１主羽根２、第１補助羽根４の順に積層されて配置されるが、このような積層順に限定されるものではない。
【００２７】
＜地板１＞
地板１は、本実施形態の絞り装置の基板部分であって、露光用の円形の開口部１ａを有している。地板１は、第１主羽根２及び第２主羽根の摺動方向を案内（ガイド）する案内軸１１、１２、１３、及び１４を有する。案内軸１１、１２、１３、及び１４は、地板１上に立設され、第１主羽根２及び第２主羽根３に形成された長孔２ａ、２ｂ、２ｃ、３ａ、３ｂ、及び３ｃに挿入されるよう配置される。地板１には、円柱状の永久磁石を含むアクチュエータが配置されており（図示省略）、アクチュエータのアームから突出するピン１５及び１６を貫通させる貫通孔が形成されている。地板１は、第１補助羽根４及び第２補助羽根５の一部を固定する固定軸１７及び１８を有している。固定軸１７及び１８は地板１上に立設され、それぞれ第１補助羽根４及び第２補助羽根５に連結される。
【００２８】
なお、地板１に対向する位置にはカバー板（図示省略）が配置され、地板１とカバー板との間に羽根室が形成される。羽根室には、第１主羽根２、第２主羽根３、第１補助羽根４、及び第２補助羽根５が配置される。
【００２９】
＜第１主羽根２＞
図３及び図４は、それぞれ第１主羽根２の平面図及び斜視図である。第１主羽根２は、地板１に配置され、所定方向に往復移動し、第２主羽根３、第１補助羽根４、及び第２補助羽根５とともに絞り開口１ｂを形成することで、地板１の開口部１ａの遮蔽量（開口量）を調整する。第１主羽根２は、遮光性を有する板状の金属または樹脂で形成されている。
【００３０】
第１主羽根２は、それぞれ貫通孔である長孔２ａ、２ｂ、及び２ｃを有している。長孔２ａ、２ｂ、及び２ｃは、いずれも直線状に延びて形成されており、それぞれが延びる方向は互いに平行である。組立状態において、長孔２ａには案内軸１１が挿入され、長孔２ｂには案内軸１２が挿入され、長孔２ｃには案内軸１３が挿入される。
【００３１】
第１主羽根２は、貫通孔２ｄを有している。貫通孔２ｄは、長孔２ａ、２ｂ、及び２ｃとは異なる方向に延びるよう形成されている。貫通孔２ｄには、アクチュエータのアームから突出したピン１５が挿入される。ピン１５が移動すると、長孔２ａ、２ｂ、及び２ｃが延びる方向に第１主羽根２が移動する。なお、貫通孔２ｄは必ずしも長孔状でなくてもよい。
【００３２】
第１主羽根２は、円柱状の突起部分である移動軸２１を有する。図１及び図２に示されるように、移動軸２１は、第１補助羽根４の長孔４ａに挿入される。
【００３３】
第１主羽根２は、絞り開口１ｂの一部を形成する縁部２２を有する。縁部２２の形状は任意であるが、例えば、第２主羽根３とともに菱形を形成する形状などに形成されている。
【００３４】
＜第２主羽根３＞
図５及び図６は、それぞれ第２主羽根３の平面図及び斜視図である。図５では、図１及び図２で示したのとは逆側の第２主羽根３の面が示されている。第２主羽根３は、地板１に配置され、所定方向に往復移動し、第１主羽根２、第１補助羽根４、及び第２補助羽根５とともに絞り開口１ｂを形成することで、地板１の開口部１ａの遮蔽量（開口量）を調整する。第２主羽根３は、第１主羽根２の移動方向と平行な逆方向に移動する。第２主羽根３は、遮光性を有する板状の金属または樹脂で形成されている。
【００３５】
第２主羽根３は、それぞれ貫通孔である長孔３ａ、３ｂ、及び３ｃを有している。長孔３ａ、３ｂ、及び３ｃは、いずれも直線状に延びて形成されており、それぞれが延びる方向は互いに平行である。組立状態において、長孔３ａには案内軸１１が挿入され、長孔３ｂには案内軸１３が挿入され、長孔３ｃには案内軸１４が挿入される。
【００３６】
第２主羽根３は、貫通孔３ｄを有している。貫通孔３ｄは、長孔３ａ、３ｂ、及び３ｃとは異なる方向に延びるよう形成されている。貫通孔３ｄには、アクチュエータのアームから突出したピン１６が挿入される。ピン１６が移動すると、長孔３ａ、３ｂ、及び３ｃが延びる方向に第２主羽根３が移動する。なお、貫通孔３ｄは必ずしも長孔状でなくてもよい。
【００３７】
第２主羽根３は、円柱状の突起部分である移動軸３１を有する。移動軸３１は、移動軸２１とは逆に、地板１側に向かって突出している。移動軸３１は、第２補助羽根５の長孔（図示省略）に挿入される。なお、図１及び図２では、移動軸３１が配置されているのとは逆側の面が示されている。
【００３８】
第２主羽根３は、絞り開口１ｂの一部を形成する縁部３２を有する。縁部３２の形状は任意であるが、例えば、第１主羽根２とともに菱形を形成する形状などに形成されている。
【００３９】
＜第１補助羽根４＞
図７及び図８は、それぞれ第１補助羽根４の平面図及び拡大図である。第１補助羽根４は、地板１上の、第１主羽根２の上に配置される。第１補助羽根４は、地板１上の固定軸１７と、第１主羽根２上の移動軸２１とに連結されており、固定軸１７を中心とし、移動軸２１の移動に合わせて回転方向に移動する。第１補助羽根４は、回転移動することで第１主羽根２、第２主羽根３、及び第２補助羽根５とともに絞り開口１ｂを形成し、地板１の開口部１ａの遮蔽量（開口量）を調整する。第１補助羽根４は、遮光性を有する板状の金属または樹脂で形成されている。
【００４０】
第１補助羽根４は、貫通孔である長孔４ａを有している。長孔４ａは、直線状に延びて形成されている。組立状態において、長孔４ａには、移動軸２１が挿入される。なお、長孔４ａは曲線状に延びて形成されていてもよい。
【００４１】
第１補助羽根４は、貫通孔４ｂを有している。貫通孔４ｂには、地板１上の固定軸１７が挿入され、これによって第１補助羽根４が固定軸１７と連結される。
【００４２】
第１補助羽根４は、絞り開口１ｂの一部を形成する縁部４１を有する。縁部４１の形状は任意であるが、第１主羽根２、第２主羽根３、及び第２補助羽根５とともに多角形を形成する形状などに形成されている。
【００４３】
＜第２補助羽根５＞
第２補助羽根５は、図７及び図８に示された第１補助羽根４と同一形状であって、表裏を逆に配置されている。言い換えれば、第２補助羽根５は、第１補助羽根４とは対称的な形状である。第２補助羽根５は、地板１上の、第２主羽根３の下に配置される。第２補助羽根５は、地板１上の固定軸１８と、第２主羽根３上の移動軸３１（図５及び図６参照）とに連結されており、固定軸１８を中心とし、移動軸３１の移動に合わせて回転方向に移動する。第２補助羽根５は、回転移動することで第１主羽根２、第２主羽根３、及び第１補助羽根４とともに絞り開口１ｂを形成し、地板１の開口部１ａの遮蔽量（開口量）を調整する。第２補助羽根５は、遮光性を有する板状の金属または樹脂で形成されている。
【００４４】
第２補助羽根５は、第１補助羽根４の長孔４ａと同様の、貫通孔である長孔を有している。長孔は、直線状に延びて形成されている。組立状態において、当該長孔には、移動軸３１が挿入される。なお、当該長孔は曲線状に延びて形成されていてもよい。
【００４５】
第２補助羽根５は、第１補助羽根４の貫通孔４ｂと同様の貫通孔を有している。当該貫通孔には、地板１上の固定軸１８が挿入され、これによって第２補助羽根５が固定軸１８と連結される。
【００４６】
第２補助羽根５は、第１補助羽根４の縁部４１と同様に、絞り開口１ｂの一部を形成する縁部を有する。当該縁部の形状は任意であるが、第１主羽根２、第２主羽根３、及び第１補助羽根４とともに多角形を形成する形状などに形成されている。
【００４７】
＜駆動部＞
絞り装置は、駆動部として機能するアクチュエータ（図示省略）を備える。アクチュエータは、例えば円柱状の永久磁石を有する、所謂ムービングマグネットタイプのアクチュエータであり、地板１において第１主羽根２などが配置された側とは逆側に配置される。アクチュエータの円板状の永久磁石からはアームが突出しており、アームからは地板１側に向かってピン１５及び１６が突出している。ピン１５及び１６は、回転中心に対して対向する位置に配置されている。図１及び図２に示されるように、ピン１５及び１６は、地板１の貫通孔を貫通して、それぞれ第１主羽根２の貫通孔２ｄ及び第２主羽根３の貫通孔３ｄに挿入される。
【００４８】
アクチュエータは、外部から与えられる電力によって励磁される電磁石によって駆動される。つまり、外部から電力が与えられると、与えられた電力によってアクチュエータが動作し、これによってピン１５及び１６が駆動される。ピン１５及び１６の位置は、外部から与えられる電力によって無段階に調整される。ピン１５及び１６が移動すると、第１主羽根２及び第２主羽根３が、案内軸１１〜１４が挿入された長孔２ａ、２ｂ、２ｃ、３ａ、３ｂ、及び３ｃの方向に沿って移動する。第１主羽根２及び第２主羽根３が移動すると、移動軸２１及び３１の位置が変化し、第１補助羽根４及び第２補助羽根５が移動する。このように、第１主羽根２、第２主羽根３、第１補助羽根４、及び第２補助羽根５が移動すると、これらの縁部によって決定される絞り開口１ｂの縁部が変化する。絞り開口１ｂの縁部が変化すると、絞り装置の開口量（露光量）が変化する。つまり、アクチュエータを駆動することで、絞り装置の開口量（露光量）を調整することができる。
【００４９】
本実施形態の絞り装置では、第１主羽根２及び第２主羽根３に加えて、第１補助羽根４及び第２補助羽根５によって絞り開口１ｂを形成しているため、従来形状よりも円形に近い絞り開口１ｂを形成しやすい構成とすることができる。この構成によって、フレア及びゴーストなどが発生しづらいなど、光学性能に優れた絞り装置を構成することができる。
【００５０】
また、本実施形態の絞り装置では、第１補助羽根４が第１主羽根２の移動軸２１に連結され、第２補助羽根５が第２主羽根３の移動軸３１に連結されている。そのため、第１補助羽根４及び第２補助羽根５が、それぞれ第１主羽根２及び第２主羽根３の動きに合わせて、第１主羽根２及び第２主羽根３とは異なる方向に移動する構成にすることができる。そのため、１つのアクチュエータの動作を制御する比較的簡易な制御によって、第１主羽根２、第２主羽根３、第１補助羽根４、及び第２補助羽根５を駆動可能な構成とすることができる。
【００５１】
また、本実施形態の絞り装置では、第１主羽根２及び第２主羽根３が直線方向（図１及び図２の横方向）に移動し、第１補助羽根４は固定軸１７を中心として回転方向に移動し、第２補助羽根５は固定軸１８を中心として回転方向に移動する構成としている。そのため、第１主羽根２及び第２主羽根３のみを備える構成と比較して、円形に近い絞り開口をより形成しやすい構成にすることができる。また、第１補助羽根４及び第２補助羽根５が回転方向に移動する構成であるため、第１補助羽根４及び第２補助羽根５が第１主羽根２及び第２主羽根３の移動方向に直交する直線方向に移動する構成と比較して、羽根の格納領域を狭く構成することなどが可能となり、絞り装置の大型化を抑制することなどが可能となる。
【００５２】
＜２．変形例＞
次に、本発明における上記実施形態の変形例について説明する。以下の変形例では、実施形態と異なる点のみを説明しており、実施形態を共通する点についてはその説明を省略している。
【００５３】
実施形態では、第１補助羽根４及び第２補助羽根５の２枚の補助羽根を有する構成について説明したが、補助羽根の数は任意に変更可能である。例えば、補助羽根として第１補助羽根４のみを有する構成を採用してもよいし、３以上の補助羽根を有する構成としても良い。
【００５４】
１枚の補助羽根を有する構成は、構成要素を減少させることができる点で好ましい。また、２枚の補助羽根を有する実施形態と同様に、従来形状よりも円形に近い絞り開口を形成しやすい構成にすることができるなど、実施形態と同様の効果を得ることができる。
【００５５】
一方、３枚以上の補助羽根を有する構成は、絞り状態にかかわらず、円形により近い絞り開口を形成しやすくなる点で好ましい。
【００５６】
また、絞り開口１ｂの外縁を形成する多角形の各辺は、対向する辺が存在しない形状とすることが好ましい。つまり、絞り開口１ｂの外縁は、平行となる辺の存在しない１以上の辺を有する多角形状とすることが好ましい。絞り開口１ｂをこのような形状にすると、フレア及びゴーストの発生をより抑制しやすい構成とすることができる。なお、本発明でいう多角形状は、それぞれの辺が直線状の多角形状のみでなく、湾曲部分を含んだ多角形状に類似した形状であって、絞り開口として機能する形状を含む。
【００５７】
また、実施形態では駆動部として、所謂ムービングマグネットタイプのアクチュエータを採用していたが、駆動部は別の構成としてもよい。例えば、駆動部として、ＶＣＭ（Ｖｏｉｃｅ  Ｃｏｉｌ  Ｍｏｔｏｒ）、ステッピングモータ、またはＤＣモータなどのモータを採用してもよい。また、駆動部は、その他の駆動機構を採用してもよい。
【００５８】
また、実施形態では、絞り開口１ｂの外縁は多角形状に類似した形状としていたが、このような形状に限定されるものではなく、絞り開口１ｂの外縁を形成する各部分は、湾曲形状または円弧状など、直線ではない形状を採用してもよい。絞り開口１ｂの外縁を形成する部分を湾曲形状などにすると、光の反射方向がばらつき、フレアまたはゴーストなどの発生を抑制できる場合がある点で好ましい。
【００５９】
また、実施形態の第１補助羽根４及び第２補助羽根５の一方または双方は、一部がＮＤフィルタ、ＩＲカットフィルタ、またはＩＲパスフィルタなどの光学フィルタになった構成のものを採用してもよい。この場合、第１補助羽根４及び第２補助羽根５の少なくとも一方は、絞り開口の外縁を決定する遮光性部分と、光学フィルタとなった透過性を有する透過性フィルタ部分とを有する構成となる。同様に、第１主羽根２及び第２主羽根３の一方または他方も、一部が光学フィルタとなった構成を採用してもよい。
【００６０】
＜３．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００６１】
なお、本発明の絞り装置は、例えば、カメラ、ビデオカメラ、ドローン搭載カメラ、または監視カメラなどの撮像装置に適用される。
【産業上の利用可能性】
【００６２】
本発明は、カメラ、ビデオカメラ、ドローン搭載カメラ、または監視カメラなどの撮像装置用の絞り装置などとして好適に利用される。
【符号の説明】
【００６３】
１…地板
１ａ…開口部
１ｂ…絞り開口
１１、１２、１３、１４…案内軸
１５、１６…ピン
１７、１８…固定軸
２…第１主羽根
２ａ、２ｂ、２ｃ…長孔
２ｄ…貫通孔
２１…移動軸
２２…縁部
３…第２主羽根
３ａ、３ｂ、３ｃ…長孔
３ｄ…貫通孔
３１…移動軸
３２…縁部
４…第１補助羽根
４ａ…長孔
４ｂ…貫通孔
４１…縁部
５…第２補助羽根
【図１】
2018205503.tif 000003
【図２】
2018205503.tif 000004
【図３】
2018205503.tif 000005
【図４】
2018205503.tif 000006
【図５】
2018205503.tif 000007
【図６】
2018205503.tif 000008
【図７】
2018205503.tif 000009
【図８】
2018205503.tif 000010